(57)【要約】【課題】短時間で連続して洗浄操作が行われたときでも、大便器から水が溢れることを防止しつつ、大便器の詰まり状態を判定できるトイレ装置を提供する。【解決手段】大便器内の水位及び水位に関連する指標の少なくともいずれかを検知可能な検知部と、前記検知部の検知結果に基づいて、前記大便器の詰まり状態を判定する詰まり判定部と、前記詰まり判定部の判定結果に基づいて、前記大便器への洗浄水供給を禁止するか否かを判定する制御部と、を備えたトイレ装置であって、前記制御部は、前記大便器を洗浄するための洗浄操作を一時的に受け付けない洗浄禁止時間を、少なくとも前記大便器への洗浄水供給が終了した後に設定し、前記詰まり判定部は、前記洗浄禁止時間中、又は、前記洗浄禁止時間直後における前記検知部の検知結果に基づいて、前記大便器の詰まり状態を判定する。【選択図】図１
2020066889.tif 000002
【特許請求の範囲】
【請求項１】
大便器内の水位及び水位に関連する指標の少なくともいずれかを検知可能な検知部と、
前記検知部の検知結果に基づいて、前記大便器の詰まり状態を判定する詰まり判定部と、
前記詰まり判定部の判定結果に基づいて、前記大便器への洗浄水供給を禁止するか否かを判定する制御部と、
を備え、
前記制御部は、前記大便器を洗浄するための洗浄操作を一時的に受け付けない洗浄禁止時間を、少なくとも前記大便器への洗浄水供給が終了した後に設定し、
前記詰まり判定部は、前記洗浄禁止時間中、又は、前記洗浄禁止時間直後における前記検知部の検知結果に基づいて、前記大便器の詰まり状態を判定するトイレ装置。
【請求項２】
前記詰まり判定部は、前記大便器への洗浄水供給が終了してから所定時間後に、前記大便器の詰まり状態を判定する請求項１記載のトイレ装置。
【請求項３】
前記詰まり判定部が前記洗浄禁止時間中に前記大便器の詰まり状態を判定できなかった場合、前記制御部は前記洗浄禁止時間を延長し、
前記詰まり判定部は、延長された前記洗浄禁止時間において前記大便器の詰まり状態を判定する請求項１又は２に記載のトイレ装置。
【請求項４】
前記制御部は、前記洗浄禁止時間中に洗浄操作があった場合、前記詰まり判定部による判定が完了し、かつ前記大便器に詰まりが無いと判定された時点で前記大便器へ洗浄水を供給する請求項１〜３のいずれか１つに記載のトイレ装置。
【請求項５】
前記制御部は、前記洗浄禁止時間を、さらに前記大便器への洗浄水供給中に設定する請求項１〜４のいずれか１つに記載のトイレ装置。
【請求項６】
前記制御部は、前記詰まり判定部により前記大便器に詰まりが無いと判定された時点で前記洗浄禁止時間の設定を解除する請求項１〜５のいずれか１つに記載のトイレ装置。
【発明の詳細な説明】
【技術分野】
【０００１】
本発明の態様は、一般的に、トイレ装置に関する。
【背景技術】
【０００２】
先行文献１には、洗浄後の大便器内の水位情報に基づいて、大便器の詰まり判定を行う技術が開示されている。この技術によれば、大便器内の水位が安定した状態で詰まり判定を行うため、判定の精度を高めることができる。
【先行技術文献】
【特許文献】
【０００３】
【特許文献１】特開２０１３−７２２２１号公報
【発明の概要】
【発明が解決しようとする課題】
【０００４】
前の使用者が大便器を洗浄した直後に、次の使用者が同じ大便器を使用する場合がある。この際、次の使用者が、使用開始直後に洗浄操作を行い、大便器を洗浄する場合がある。このように短時間で連続して洗浄操作が行われると、水位が安定する前に次の便器洗浄が実行されるため、詰まり判定が完了せずに大便器から水が溢れる可能性がある。
【０００５】
本発明は、かかる課題の認識に基づいてなされたものであり、短時間で連続して洗浄操作が行われたときでも、大便器から水が溢れることを防止しつつ、大便器の詰まり状態を判定できるトイレ装置を提供することを目的とする。
【課題を解決するための手段】
【０００６】
第１の発明は、大便器内の水位及び水位に関連する指標の少なくともいずれかを検知可能な検知部と、前記検知部の検知結果に基づいて、前記大便器の詰まり状態を判定する詰まり判定部と、前記詰まり判定部の判定結果に基づいて、前記大便器への洗浄水供給を禁止するか否かを判定する制御部と、を備え、前記制御部は、前記大便器を洗浄するための洗浄操作を一時的に受け付けない洗浄禁止時間を、少なくとも前記大便器への洗浄水供給が終了した後に設定し、前記詰まり判定部は、前記洗浄禁止時間中、又は、前記洗浄禁止時間直後における前記検知部の検知結果に基づいて、前記大便器の詰まり状態を判定するトイレ装置である。
【０００７】
このトイレ装置によれば、大便器への洗浄水供給が終了した後に洗浄禁止時間が設定されるため、大便器に洗浄水が供給された後すぐに洗浄操作が行われても、洗浄水は大便器へ供給されない。従って、大便器が詰まっている状態で連続して洗浄水が供給され、大便器から水が溢れることを防止できる。また、洗浄禁止時間中、又は、前記洗浄禁止時間直後は、洗浄水が供給されないため、大便器内の水位が安定し、より正確な判定結果を得ることができる。
【０００８】
第２の発明は、第１の発明において、前記詰まり判定部は、前記大便器への洗浄水供給が終了してから所定時間後に、前記大便器の詰まり状態を判定するトイレ装置である。
【０００９】
このトイレ装置によれば、洗浄水供給の終了直後に比べて、水位がより安定した状態で大便器の詰まり状態を判定できる。このため、大便器の詰まり状態をより正確に判定することが可能となる。
【００１０】
第３の発明は、第１又は第２の発明において、前記詰まり判定部が前記洗浄禁止時間中に前記大便器の詰まり状態を判定できなかった場合、前記制御部は前記洗浄禁止時間を延長し、前記詰まり判定部は、延長された前記洗浄禁止時間において前記大便器の詰まり状態を判定するトイレ装置である。
【００１１】
このトイレ装置によれば、詰まり状態の判定に時間を要する場合でも、洗浄禁止時間が自動で延長される。このため、大便器が詰まった状態で洗浄水が供給されて水が溢れることを、より確実に防止できる。
【００１２】
第４の発明は、第１〜第３のいずれか１つの発明において、前記制御部は、前記洗浄禁止時間中に洗浄操作があった場合、前記詰まり判定部による判定が完了し、かつ前記大便器に詰まりが無いと判定された時点で前記大便器へ洗浄水を供給するトイレ装置である。
【００１３】
このトイレ装置によれば、大便器から水が溢れることを防止しつつ、判定終了後に使用者の意図に沿った動作が自動で実現される。このため、使用者が洗浄禁止時間後に再度洗浄操作を行う必要が無く、トイレ装置の使い勝手が向上する。
【００１４】
第５の発明は、第１〜第４のいずれか１つの発明において、前記制御部は、前記洗浄禁止時間を、さらに前記大便器への洗浄水供給中に設定するトイレ装置である。
【００１５】
このトイレ装置によれば、大便器へ供給される洗浄水が増加することを防止でき、大便器に詰まりが有るときに水が溢れることをより確実に防止できる。
【００１６】
第６の発明は、第１〜第５のいずれか１つの発明において、前記制御部は、前記詰まり判定部により前記大便器に詰まりが無いと判定された時点で前記洗浄禁止時間の設定を解除するトイレ装置である。
【００１７】
このトイレ装置によれば、大便器から水が溢れることを防止しつつ、洗浄禁止時間を短縮でき、使い勝手が向上する。
【発明の効果】
【００１８】
本発明の態様によれば、短時間で連続して洗浄操作が行われたときでも、大便器から水が溢れることを防止しつつ、大便器の詰まり状態を判定できるトイレ装置が提供される。
【図面の簡単な説明】
【００１９】
【図１】実施形態に係るトイレ装置の構成を表す模式図である。
【図２】実施形態に係るトイレ装置の一部を表す模式的断面図である。
【図３】（ａ）は検知部による検知結果を例示するグラフであり、（ｂ）〜（ｄ）は大便器の状態を表す模式図である。
【図４】（ａ）は検知部による検知結果を例示するグラフであり、（ｂ）〜（ｄ）は大便器の状態を表す模式図である。
【図５】実施形態に係るトイレ装置の動作の一例を表すタイミングチャートである。
【図６】実施形態に係るトイレ装置の動作を表すフローチャートである。
【図７】実施形態に係るトイレ装置の動作の一例を表すタイミングチャートである。
【図８】実施形態に係るトイレ装置の動作を表すフローチャートである。
【発明を実施するための形態】
【００２０】
以下、本発明の実施形態について図面を参照しつつ説明する。なお、各図面中、同様の構成要素には同一の符号を付して詳細な説明は適宜省略する。
図１は、実施形態に係るトイレ装置の構成を表す模式図である。
図１に表したように、実施形態に係るトイレ装置１は、検知部１０、詰まり判定部１２、及び制御部１４を備える。トイレ装置１は、大便器２０及び洗浄水供給部２２と組み合わせて用いられる。又は、トイレ装置１が、大便器２０及び洗浄水供給部２２を備えていても良い。
【００２１】
本願明細書においては、大便器２０に着座した使用者からみて上方を「上方」とし、その反対方向を「下方」とする。また、大便器２０に着座した使用者からみて前方を「前方」とし、その反対方向を「後方」とする。
【００２２】
図２は、実施形態に係るトイレ装置の一部を表す模式的断面図である。
検知部１０は、大便器２０内の水位及び水位に関連する指標の少なくともいずれかを検知可能である。「水位に関連する指標」とは、例えば、大便器２０内の表面の所定領域における水の有無、又は大便器２０内に溜まった水の圧力などである。検知部１０としては、電波センサ、静電容量センサ、圧力センサ、超音波式測距センサ、又は光学式測距センサなどが用いられる。
【００２３】
電波センサは、電波を放射し、その反射波を検知する。反射波の強度は、電波が放射された位置における水の有無で変化する。電波センサを検知部１０として用いる場合、電波が大便器２０内の表面の所定領域に放射されるように検知部１０を設ける。
また、静電容量センサは、当該センサと、それに対向する所定領域と、の間の静電容量を検知する。静電容量は、その所定領域における水の有無で変化する。静電容量センサを検知部１０として用いる場合、大便器２０内の表面の所定領域と対向するように検知部１０を設ける。
電波センサ又は静電容量センサを検知部１０として用いることで、大便器２０内の水位が、所定領域よりも高い位置に有るか否かを検知できる。
また、静電センサは、異なる高さに連続的に複数個所配置することで、直接的に水位を検知することができる。 
【００２４】
圧力センサは、大便器２０内に溜まった水の圧力を検知する。圧力は、大便器２０内の水の量に比例する。従って、圧力センサを検知部１０として用いることで、水位を間接的に検知することができる。
【００２５】
超音波式測距センサは、超音波を放射し、その反射波を受信する。超音波が水面に対して鉛直方向に放射されると、超音波を放射してから反射波のピークが検出されるまでの時間は、水面の位置に応じて変化する。
また、光学式測距センサは、対象に向けて光（例えば赤外光）を照射し、その反射光を受光素子に結像させる。受光素子の結像位置が、水面の位置に応じて変化する。
従って、超音波式測距センサ又は光学式測距センサを検知部１０として用いることで、大便器２０内の水位を直接的に検知できる。
【００２６】
図２では、電波センサを検知部１０として用いて、大便器２０の内部に設けた場合を例示している。この例では、検知部１０は、電波１１を放射し、大便器２０内の表面２０ａに水が有るか否かを検知している。表面２０ａは、溢れ面Ｓ１より低く且つ封水面Ｓ２より高い位置にある。以降では、検知部１０が電波センサである場合について説明する。
【００２７】
図２（ａ）に表したように、大便器２０に詰まり等が無い通常の状態では、大便器２０内の水（封水）の表面は、封水面Ｓ２に位置する。例えば図２（ｂ）に表したように、大便器２０内に異物Ｅが詰まると、大便器２０内の水面の位置が封水面Ｓ２よりも高くなる。溢れ面Ｓ１は、封水面Ｓ２よりも高い位置にある。溢れ面Ｓ１の位置は、任意である。例えば、溢れ面Ｓ１の位置は、次に大便を洗い流すための洗浄水が大便器２０に供給されたとしても、大便器２０から水が溢れ出ない上限の位置に設定される。すなわち、大便器２０内の水面が溢れ面Ｓ１よりも高い位置にあると、大便器２０に洗浄水が供給されたときに大便器２０から水が溢れる可能性がある。
【００２８】
詰まり判定部１２は、検知部１０の検知結果に基づいて、大便器２０の詰まり状態を判定する。詰まり判定部１２は、その判定結果を制御部１４へ送信する。詰まり判定部１２による具体的な判定方法は、後述する。
【００２９】
制御部１４は、詰まり判定部１２の判定結果に基づいて、大便器２０への洗浄水供給を禁止するか否かを判定する。制御部１４は、詰まり判定部１２により大便器２０に詰まりが有ると判定されると、大便器２０への洗浄水供給を禁止する。
【００３０】
詰まり判定部１２及び制御部１４は、例えば、それぞれ処理装置（マイコン）を有する。又は、１つの処理装置が詰まり判定部１２及び制御部１４として機能しても良い。あるいは、検知部１０が処理装置を備え、詰まり判定部１２の機能、又は詰まり判定部１２と制御部１４の両方の機能を検知部１０が備えていても良い。
【００３１】
洗浄水供給部２２は、バルブ（例えばソレノイドバルブ）又はモータ等を有し、上水道や貯水タンクなどの給水源と接続される。バルブ又はモータが動作することで、給水源から大便器２０へ洗浄水が供給される状態と、洗浄水が供給されない状態と、が切り替わる。洗浄水供給部２２は、この他に、水を貯留するタンクや、水を圧送するポンプなどを適宜有していても良い。
【００３２】
使用者が不図示のリモコンなどにより大便器２０を洗浄するための洗浄操作を行うと、制御部１４は、その洗浄操作に応じた信号を洗浄水供給部２２へ送信する。制御部１４から送信された信号に基づいて洗浄水供給部２２のバルブ又はモータが動作することで、大便器２０へ洗浄水が供給される。
【００３３】
例えば、制御部１４は、大便器２０への洗浄水供給を禁止すると判定すると、リモコンが操作されても、大便器２０へ洗浄水を供給するための信号を洗浄水供給部２２に送信しない。
【００３４】
図３及び図４を参照して、詰まり判定部１２による判定方法について説明する。
図３（ａ）及び図４（ａ）は、検知部による検知結果を例示するグラフである。図３（ｂ）〜図３（ｄ）及び図４（ｂ）〜図４（ｄ）は、大便器の状態を表す模式図である。
図３（ａ）及び図４（ａ）において、横軸は時間を表し、縦軸は検知部１０による検知結果を表す。この例では、検知部１０が電波センサであり、縦軸は検知部１０により検知された反射波の強度を表している。なお、反射波の強度が増した場合、定在波の影響により、縦軸の値は上下両方に変動する可能性がある。後述の実施例では、大便器２０に詰まりが有る時に上方向に変動するグラフで示しているが、下方向に変動する場合も含んでよい。 
【００３５】
図３（ａ）は、大便器２０に詰まりが無い場合の検知結果を例示している。図３（ａ）において、期間Ｐ１は、洗浄水供給前の状態を表す。期間Ｐ２は、洗浄水供給中の状態を表す。期間Ｐ３は、洗浄水供給が終了した後の状態を表す。以降では、期間Ｐ１における大便器２０の状態を「洗浄前」という。また、期間Ｐ２における大便器２０の状態を「洗浄中」といい、期間Ｐ３における大便器２０の状態を「洗浄後」という。以下で、これらの期間における大便器２０の状態を具体的に説明する。
【００３６】
図３（ａ）の時刻Ｔ０では、大便器２０内の水面は、封水面Ｓ２にあるとする。時刻Ｔ０では、図３（ｂ）に表したように、大便器２０内の表面２０ａには水が無い。このため、検知結果は、比較的小さな値で安定している。
【００３７】
その後、時刻Ｔ１で大便器２０への洗浄水供給が開始されると、期間Ｐ１が終了して期間Ｐ２が始まる。時刻Ｔ１では、換言すると、制御部１４から洗浄水供給部２２に対して、大便器２０へ洗浄水を供給させる信号が送信される。
【００３８】
例えば、時刻Ｔ１〜Ｔ２の間は、洗浄水の供給が開始された直後であり、表面２０ａにおける水流が安定していないため、検知結果の値が大きく変動する。その後、時刻Ｔ２から時刻Ｔ３までの間は、図３（ｃ）に表したように、大便器２０内に多量の洗浄水が供給される。この間、表面２０ａの全体が水に覆われるため、検知結果が比較的大きな値で安定する。
【００３９】
時刻Ｔ３で洗浄水の供給が停止されると、期間Ｐ２が終了して期間Ｐ３が始まる。時刻Ｔ３では、換言すると、制御部１４から洗浄水供給部２２に対して、大便器２０への洗浄水供給を停止させる信号が送信される。
【００４０】
その後、時刻Ｔ３から時刻Ｔ４にかけて洗浄水が流れ切るまでの間、表面２０ａにおける水の流れが変化し、検知結果の値が大きく変動する。時刻Ｔ４以降では、供給された洗浄水が流れ切り、図３（ｄ）に表したように、表面２０ａに水が無い状態となる。このため、検知結果は、期間Ｐ１と同様に、比較的小さな値で安定する。なお、洗浄水供給部２２からの洗浄水供給を停止する時刻と、表面２０ａにおける水の流れが変化する時刻と、は必ずしも一致しない。例えば、洗浄水供給部２２から表面２０ａに到達するまでの流路が長い場合などである。この場合、洗浄水供給部２２からの供給を停止直後、すなわち時刻Ｔ３直後は、まだ表面２０ａの全体が水に覆われているため、検知結果が比較的大きな値で安定している。つまり期間Ｐ３は、洗浄水供給を停止してから、表面２０ａにおける水の流れが変化し始める直前までの時間も含まれている。 
【００４１】
図４（ａ）は、大便器２０に詰まりが有る場合の検知結果を例示している。図４（ａ）において、期間Ｐ１〜Ｐ３は、それぞれ図３（ａ）と同様に、洗浄前、洗浄中、及び洗浄後の状態を表す。
【００４２】
期間Ｐ１及びＰ２における検知部１０による検知結果は、図３（ａ）に表した例と実質的に同一である。すなわち、期間Ｐ１では、図４（ｂ）に表したように表面２０ａには水が無く、期間Ｐ２では、図４（ｃ）に表したように大便器２０内を洗浄水が流れ、表面２０ａが水で覆われる。
【００４３】
大便器２０に詰まりが有ると、期間Ｐ２で供給された洗浄水が大便器２０から排水されず、図４（ｃ）に表したように大便器２０内に溜まる。この場合、表面２０ａが水で覆われるため、時刻Ｔ３で洗浄水の供給が終了した後も、検知結果は比較的大きな値を示す。
【００４４】
詰まり判定部１２は、上述した一連の流れにおいて、洗浄中の期間Ｐ２における検知部１０の第１検知結果と、洗浄後の期間Ｐ３における検知部１０の第２検知結果と、を比較する。詰まり判定部１２は、その比較結果に基づいて、大便器２０の詰まり状態を判定する。
【００４５】
具体的には、詰まり判定部１２は、第１検知結果と第２検知結果の差を算出する。詰まり判定部１２は、差が所定値以上であれば、大便器２０の詰まりは無いと判定する。詰まり判定部１２は、差が所定値未満であれば、大便器２０に詰まりが有ると判定する。例えば、所定値との比較には、当該差の絶対値が用いられる。所定値は、予めトイレ装置１の管理者により設定される。又は、所定値は、検知部１０による過去の検知結果などに基づいて設定されても良い。
【００４６】
例えば、図３（ａ）に表した例において、期間Ｐ２のタイミングｔ１で検知部１０により第１検知結果が取得され、期間Ｐ３のタイミングｔ２で検知部１０により第２検知結果が取得される。詰まり判定部１２は、第１検知結果の値Ｖ１と第２検知結果の値Ｖ２との差を、所定値ＰＶと比較する。差Ｖ１−Ｖ２の絶対値は、所定値ＰＶ以上であるため、大便器２０に詰まりは無いと判定される。
【００４７】
図４（ａ）に表した例では、期間Ｐ２のタイミングｔ１で取得された第１検知結果の値Ｖ１は、期間Ｐ３のタイミングｔ２で取得された第２検知結果の値Ｖ２と同じである。従って、差Ｖ１−Ｖ２の絶対値は、所定値ＰＶ未満であるため、大便器２０に詰まりが有ると判定される。
【００４８】
あるいは、詰まり判定部１２は、第１検知結果として、洗浄前の期間Ｐ１における検知部１０の検知結果を用いても良い。この場合、詰まり判定部１２は、第１検知結果と第２検知結果の差が所定値以上であれば、大便器２０に詰まりが有ると判定し、差が所定値未満であれば、大便器２０に詰まりが無いと判定する。
【００４９】
ただし、期間Ｐ１では、大便器２０に付帯される機能や、大便器２０の使用態様などにより、表面２０ａの状態が変化しうる。例えば、洗浄前において大便器２０内の表面に水（除菌水又は水道水）を噴霧する装置が、大便器２０に設けられる場合がある。大便器２０内の表面に水が噴霧されると、表面２０ａに多数の水滴が付着し、検知結果が大きくなる。又は、表面２０ａに濡れたトイレットペーパーが付着する場合もある。この場合、表面２０ａに何も付着していない場合に比べて、検知結果が大きくなる。これらの結果、期間Ｐ１における検知結果と期間Ｐ３における検知結果との差が閾値以上となり、大便器２０に詰まりが無いにも拘わらず、大便器２０に詰まりが有ると判定される可能性がある。
【００５０】
このため、第１検知結果としては、洗浄中の期間Ｐ２における検知部１０の検知結果を用いることが望ましい。これにより、大便器２０に付帯される機能や、大便器２０の使用態様などに拘わらず、大便器２０の詰まり状態の判定で基準値として用いられる第１検知結果をより安定させることができる。この結果、大便器２０の詰まり状態をより精度良く判定することが可能となる。
【００５１】
また、詰まり判定部１２は、期間Ｐ３で取得された複数の検知結果をそれぞれ第２検知結果として設定し、大便器２０の詰まり状態を繰り返し判定しても良い。例えば、図４（ａ）のタイミングｔ２で取得された検知結果に基づき、大便器２０に詰まりが有ると判定された場合であっても、その後に大便器２０内の水が徐々に流れて水面の位置が下がっていくこともある。タイミングｔ２における検知結果のみに基づいて大便器２０に詰まりが有ると最終的な判定結果を出すと、その後に水が流れていった場合にも大便器２０に洗浄水を供給できなくなる。
【００５２】
このため、詰まり判定部１２は、タイミングｔ２で大便器２０に詰まりが有ると判定された場合は、その後に連続的又は間欠的に複数回検知結果を取得し、再び大便器２０の詰まり状態を判定する。これにより、時間を掛ければ大便器２０内の水が流れるような場合に、大便器２０への洗浄水供給が禁止されることを防止でき、大便器２０の使い勝手を向上させることができる。
【００５３】
図５は、実施形態に係るトイレ装置の動作の一例を表すタイミングチャートである。
例えば図５に表したように、時刻Ｔ１０で制御部１４が洗浄操作を受け付けると、洗浄水供給部２２による洗浄水供給が開始される。大便器２０に洗浄水が供給された後、時刻Ｔ１２で洗浄供給が終了する。このとき、制御部１４は、大便器２０の洗浄操作を一時的に受け付けない洗浄禁止時間を設定する。
【００５４】
洗浄禁止時間が設定されてから所定時間が経過した後、時刻Ｔ１３で詰まり判定部１２による大便器２０の詰まり状態の判定が開始される。また、時刻Ｔ１４で洗浄操作が行われるが、時刻Ｔ１４では洗浄禁止時間が終了していないため、制御部１４はその洗浄操作を受け付けない。その後、時刻Ｔ１５で、詰まり判定部１２による詰まり状態の判定が終了する。このとき、大便器２０に詰まりが無いと判定されると、洗浄禁止時間の設定も解除される。また、図５に表した例のように、制御部１４は、洗浄禁止時間中に行われた洗浄操作に基づき、大便器２０への洗浄水供給を行っても良い。
【００５５】
図６は、実施形態に係るトイレ装置の動作を表すフローチャートである。
洗浄水供給部２２による洗浄水供給が終了すると（ステップＳｔ１）、制御部１４は、洗浄禁止時間を設定する（ステップＳｔ２）。制御部１４は、洗浄禁止時間の設定から所定時間が経過したか判定する（ステップＳｔ３）。所定時間が経過すると、詰まり判定部１２は、検知部１０による検知結果を取得する（ステップＳｔ４）。続いて、制御部１４は、詰まり判定部１２による大便器２０の詰まり状態の判定が完了したか、判定する（ステップＳｔ５）。
【００５６】
判定が完了していない場合、制御部１４は、洗浄禁止時間が終了したか判定する（ステップＳｔ６）。洗浄禁止時間が終了していない場合は、再度ステップＳｔ４を実行する。洗浄禁止時間が終了している場合、洗浄禁止時間を延長し（ステップＳｔ７）、再度ステップＳｔ４を実行する。これにより、延長された洗浄禁止時間において、大便器２０の詰まり状態の判定が行われる。
【００５７】
詰まり状態の判定が完了しているとステップＳｔ５で判定されると、制御部１４は、判定結果を参照し、大便器２０に詰まりが無いか否かを判定する（ステップＳｔ８）。詰まりが有る場合、制御部１４は、洗浄を禁止する（ステップＳｔ９）。洗浄が禁止されると、以降は、洗浄禁止時間に拘わらず、大便器２０への洗浄水供給が禁止される。詰まりが無い場合、制御部１４は、洗浄禁止時間の設定を解除する（ステップＳｔ１０）。以降は、洗浄操作が行われると、制御部１４は、その洗浄操作を受け付けて大便器２０へ洗浄水を供給する。
【００５８】
また、制御部１４は、洗浄禁止を解除すると、洗浄禁止時間中に洗浄操作が有ったか判定する（ステップＳｔ１１）。洗浄操作が無かった場合、動作を終了する。洗浄操作が有った場合、大便器２０へ洗浄水を供給する（ステップＳｔ１２）。
【００５９】
実施形態の効果を説明する。
実施形態に係るトイレ装置１では、制御部１４が、大便器を洗浄するための洗浄操作を一時的に受け付けない洗浄禁止時間を、少なくとも大便器２０への洗浄水供給が終了した後に設定する。これにより、大便器２０に洗浄水が供給された後すぐに洗浄操作が行われても、洗浄水は大便器２０へ供給されない。従って、大便器２０が詰まった状態で連続して洗浄水が供給され、大便器２０から水が溢れることを防止できる。そして、詰まり判定部１２は、洗浄禁止時間中における検知部１０の検知結果に基づいて、大便器２０の詰まり状態を判定する。洗浄禁止時間中は、次の洗浄水が供給されないため、大便器２０内の水位が安定し、より正確な判定結果を得ることができる。
【００６０】
洗浄水供給の終了直後は、大便器２０内の水位が安定せず、図３（ａ）の時刻Ｔ３と時刻Ｔ４の間のように検知結果が大きく変動する。値が瞬間的に大きくなったり小さくなったりしたときの検知結果を基に詰まり状態が判定されると、正確な判定結果が得られない可能性がある。一方、時刻Ｔ３から所定時間経過後の時刻Ｔ４以降では、水位が安定して、検知結果の変動が小さくなる。このため、詰まり状態の判定は、洗浄水供給が終了してから所定時間が経過し、水位がより安定した後に行われることが望ましい。水位が安定した状態で詰まり状態が判定されることで、より正確な判定結果を得ることができる。所定時間は、大便器２０内の容量や大便器２０から排出される洗浄水の流量、大便器２０における洗浄水の流れ方などに応じて、適宜設定される。一例として、一般的な便器において、当該所定時間は、３秒以上２０秒以下であり、より好ましくは５秒以上１５秒以下であり、更に好ましくは８秒以上１２秒以下に設定される。
【００６１】
また、前述したように、大便器２０に詰まりが有ると判定された場合、その後に連続的又は間欠的に複数回検知結果を取得し、大便器２０の詰まり状態を繰り返し判定する方法がある。この方法によれば、大便器２０内の水が時間をかけて流れていくような場合に洗浄水供給が禁止されることを防止できる。しかし、大便器２０に詰まりが無いとすぐに判定される場合に比べて、判定に要する時間が長くなる。この点について、制御部１４は、詰まり判定部１２が洗浄禁止時間中に大便器２０内の詰まり状態を判定できなかった場合、洗浄禁止時間を延長する。詰まり判定部１２は、延長された洗浄禁止時間において大便器２０の詰まり状態を判定する。これにより、詰まり状態の判定が終了するまで洗浄禁止時間が継続される。この方法によれば、大便器２０に詰まりが無く、すぐに判定が完了する場合には、洗浄禁止時間がより早く解除される。そして、大便器２０に詰まりが有り、判定の完了に時間を要する場合には、それに応じて洗浄禁止時間が延長される。このため、大便器２０が詰まった状態で洗浄水が供給されることを確実に防止しつつ、無用に洗浄禁止時間が設定されることを回避できる。
【００６２】
制御部１４は、洗浄禁止時間中に洗浄操作があった場合、詰まり判定部１２による判定が完了し、かつ大便器２０に詰まりが無いと判定された時点で大便器２０へ洗浄水を供給する。こうすることで、大便器２０から水が溢れることを防止しつつ、判定終了後に使用者の意図に沿った動作が自動で実現される。このため、使用者が洗浄禁止時間後に再度洗浄操作を行う必要が無く、トイレ装置１の使い勝手が向上する。
【００６３】
また、制御部１４は、詰まり判定部１２により大便器２０に詰まりが無いと判定された時点で、洗浄禁止時間の設定を解除する。こうすることで、大便器２０から水が溢れることを防止しつつ、洗浄禁止時間を短縮できる。洗浄禁止時間が短縮されることで、使用者からの洗浄操作を受け付け可能な時間が長くなり、トイレ装置１の使い勝手が向上する。
【００６４】
（第１変形例）
図７は、実施形態に係るトイレ装置の動作の一例を表すタイミングチャートである。
図７に表した例では、制御部１４は、時刻Ｔ１０で洗浄水供給が開始されると、洗浄禁止時間を設定する。その後、制御部１４は、時刻Ｔ１２で洗浄水供給が終了した後も洗浄禁止時間を継続する。すなわち、この例では、制御部１４は、洗浄後だけで無く、洗浄中にも洗浄禁止時間を設定している。
【００６５】
また、図７の例では、洗浄中の時刻Ｔ１１に洗浄操作が行われている。このとき、洗浄禁止時間中であるため、制御部１４は、この洗浄操作を受け付けない。ただし、図５に表した例と同様に、時刻Ｔ１５で詰まり判定部１２による詰まり状態の判定が完了し、かつ大便器２０に詰まりが無いと判定された時点で、大便器２０へ洗浄水を供給しても良い。
【００６６】
図８は、実施形態に係るトイレ装置の動作を表すフローチャートである。
図８は、使用者により洗浄操作が行われたときの制御部１４の動作を表す。使用者により洗浄操作が行われると（ステップＳｔ２１）、制御部１４は、洗浄水供給中か否か判定する（ステップＳｔ２２）。洗浄水供給中の場合、洗浄禁止時間中であるため、制御部１４は、洗浄操作を受け付けない（ステップＳｔ２３）。洗浄水供給中では無い場合、制御部１４は、洗浄操作を受け付けて大便器２０へ洗浄水を供給する（ステップＳｔ２４）。その後、洗浄水供給が終了する際に、図６のフローチャートに表した動作が実行される。
【００６７】
トイレ装置１には、大便器２０への洗浄中に洗浄操作が行われた際に、何らかの動作を追加で行う機能が設けられることがある。例えば、そのような機能として、洗浄水供給の時間を延長する機能が挙げられる。しかし、大便器２０に詰まりが有る状態で洗浄時間が延長され、多くの洗浄水が供給されると、大便器２０から水が溢れる可能性が高まる。このため、制御部１４は、洗浄禁止時間を、さらに大便器２０への洗浄水供給中に設定することが望ましい。こうすることで、大便器２０へ供給される洗浄水が増加することを防止でき、大便器２０に詰まりが有るときに大便器２０から水が溢れることをより確実に防止できる。
【００６８】
（第２変形例）
上述したそれぞれの例では、詰まり判定部１２が、洗浄禁止時間中に大便器２０の詰まり状態を判定していた。この方法に変えて、本変形例に係るトイレ装置では、詰まり判定部１２が、洗浄禁止時間直後に大便器２０の詰まり状態を判定する。
【００６９】
洗浄禁止時間の終了直後も、洗浄禁止時間中と同様に、大便器２０内の水位が安定している。従って、洗浄禁止時間直後に大便器２０の詰まり状態を判定することで、より正確な詰まり状態の判定結果を得ることができる。また、大便器２０に詰まりが有る場合は、洗浄禁止時間直後の詰まり状態の判定結果に基づき、制御部１４により大便器２０への洗浄水供給が禁止される。このため、大便器２０から水が溢れることを防止しつつ、大便器２０の詰まり状態をより正確に判定できる。
【００７０】
すなわち、本発明においては、洗浄禁止時間が、少なくとも詰まり判定部１２による詰まり判定の前に設定される。洗浄禁止時間中は、次の洗浄水が供給されないため、大便器２０内の水位が安定し、より正確な詰まり状態の判定結果を得ることができる。 
【００７１】
なお、洗浄禁止時間直後とは、洗浄禁止時間が終了してから３０秒以内であることが好ましい。ある使用者が大便器２０を洗浄し、大便器２０が設置された空間から退室した後、次の使用者がその空間に入室するまでの入れ替わり時間は、早くて概ね３０秒程度である。洗浄禁止時間が終了してから３０秒以内であれば、次の洗浄操作が行われる可能性が低い。
【００７２】
又は、洗浄禁止時間直後とは、より好ましくは洗浄禁止時間が終了してから１０秒以内である。例えば、使用者は、臭いの広がりを抑えるために、大便等の排泄直後に洗浄操作を行う。その後、トイレットペーパーなどを流すために、再び洗浄操作を行う。これらの洗浄操作は、早くて概ね１０秒程度の間隔を空けて実行されるためである。
【００７３】
ただし、使用者によっては、排泄時の音を洗浄水供給時の音でかき消すことを目的として、排泄中に連続して洗浄操作を行うことがある。この場合、洗浄禁止時間直後に洗浄操作が行われ、詰まり判定部１２による詰まり状態の判定前に大便器２０へ洗浄水が供給される可能性がある。従って、大便器２０への洗浄水供給による溢れをより確実に防止するためには、詰まり状態が洗浄禁止時間中に判定されることが望ましい。
【００７４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレ装置１が備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７５】
１ トイレ装置、  １０ 検知部、  １１ 電波、  １２ 詰まり判定部、  １４ 制御部、  ２０ 大便器、  ２０ａ 表面、  ２２ 洗浄水供給部、  Ｅ 異物、  Ｐ１〜Ｐ３ 期間、  ＰＶ 所定値、  Ｓ１ 溢れ面、  Ｓ２ 封水面、  Ｓｔ１〜Ｓｔ１２、Ｓｔ２１〜Ｓｔ２４ ステップ、  Ｔ０〜Ｔ４、Ｔ１０〜Ｔ１５ 時刻、  Ｖ１ 第１検知結果、  Ｖ２ 第２検知結果、  ｔ１、ｔ２ タイミング
【図１】
2020066889.tif 000003
【図２】
2020066889.tif 000004
【図３】
2020066889.tif 000005
【図４】
2020066889.tif 000006
【図５】
2020066889.tif 000007
【図６】
2020066889.tif 000008
【図７】
2020066889.tif 000009
【図８】
2020066889.tif 000010